(57)【特許請求の範囲】
【請求項１】
間仕切り用組立て家具であって、内外枠間に横枠を設けて側面をＨ形状とした一対の前台輪間に複数個の後台輪を配列し、該後台輪における、裏板の厚さの巾で前後に並列する一対の横枠と該横枠に対し直角な縦枠を、両者に設けた穿溝により組接ぎすると共に、該横枠及び縦枠を台板上に塚結合で固定し、後台輪における両側部のものの縦枠を長くして、縦枠及び前台輪を、該縦枠の両端部下面及び前台輪における内枠に設けた穿溝により組接ぎし、裏板の両側部を隣接する後台輪における一対の横枠間に嵌合し、後台輪における両側部のものの縦枠上に側板を塚結合で固定すると共に、該側板間に設けた、棚を区切る側板の下面後部を後台輪における縦枠上面に塚結合で固定すると共に、下面前部に形成した穿溝と、前台輪に設けた穿溝により後台輪と棚を区切る側板を組接ぎし、前台輪における内枠及び後台輪における横枠上に地板を載置し塚結合で固定すると共に、隣接する側板の上部と天板の両端部を塚結合で固定し、同一平面上に連結する天板の上面前部に上方の前台輪を、後部に一対の横枠及び縦枠からなる上方の後台輪を塚結合で固定し、上下の後台輪における両側部のものの横枠における外方突出部位に架設板の上下端部を塚結合で固定し、上記と同様に裏板、側板、地板及び天板を塚結合で固定したことを特徴とする組立て式造り付け家具。
【請求項２】
壁面用組立て家具であって、内外枠間に横枠を設けて側面をＨ形状とした前台輪の後方に複数個の後台輪を配列し、該後台輪における、裏板の厚さの巾で前後に並列する一対の横枠と該横枠に対し直角な縦枠を、両者に設けた穿溝により組接ぎすると共に、該横枠及び縦枠を台板上に塚結合で固定し、後台輪における両側部のものの縦枠を長くして、縦枠及び前台輪を、該縦枠の前端部下面及び前台輪における内枠に設けた穿溝により組接ぎし、裏板の両側部を隣接する後台輪における一対の横枠間に嵌合し、後台輪における両側部のものの縦枠上に側板を塚結合で固定すると共に、該側板間に設けた、棚を区切る側板の下面後部を後台輪における縦枠上面に塚結合で固定すると共に、下面前部に形成した穿溝と、前台輪に設けた穿溝により後台輪と棚を区切る側板を組接ぎし、前台輪における内枠及び後台輪における横枠上に地板を載置し塚結合で固定すると共に、隣接する側板の上部と天板の両端部を塚結合で固定し、同一平面上に連結する天板の上面前部に上方の前台輪を、後部に一対の横枠、縦枠及び台板からなる上方の後台輪を塚結合で固定し、上下の後台輪における両側部のものの横枠における外方突出部位に架設板の上下端部を塚結合で固定し、上記と同様に裏板、側板、地板及び天板を塚結合で固定したことを特徴とする組立て式造り付け家具。
【請求項３】
棚を区切る側板を、合体した２枚の側板とすると共に、該当位置の後台輪における縦枠の幅を側板の２枚分とし、合体した２枚の側板の高さが異なり段差が生じる箇所の天板上に、上記後台輪を縦枠中央で分割した形態の後台輪を塚結合で固定したことを特徴とする請求項１又は２記載の組立て式造り付け家具。
【請求項４】
隣接する架設板及び側板の対向面に、Ｕ字形状を上向きとした結合具を固着し、隣接する架設板及び側板間に設けた緊締具及び複合緊締具の両側面に下方開口状のＵ字状溝に上記結合具を嵌合し、側板の後端面に固着した、Ｕ字形状を下向きとした結合具を、上記緊締具及び複合緊締具の前面に設けた上方開口状のＵ字状溝に嵌合したことを特徴とする請求項１、２又は３記載の組立て式造り付け家具。
【請求項５】
鋭角面を上向きにした一方の楔の背面を棚側に密着すると共に、該一方の楔と斜面を合わせる鋭角面を下向きにした他方の楔を、一方の楔と壁面側間に圧入すると共に、他方の楔の背面を壁面側に密着させたことを特徴とする請求項１、２、３又は４記載の組立て式造り付け家具。
【請求項６】
上下一対の板枠を重ね合せ、係留塚で上下を撃いだ笠木接合板を最上段の前部に塚結合で固定し、該笠木接合板における板枠の対向面に弧状の溝を、対向面を縦断する様に形成し、天井と棚間を遮蔽する笠木の背面に固着した、元部を太く先端にかけて細まる特殊塚を上記上下の弧状の溝間に挿入し、笠木接合板上の圧縮変形状態の支いものを天井に密接させたことを特徴とする請求項１、２、３、４又は５記載の組立て式造り付け家具。
【発明の詳細な説明】
【０００１】
【産業上の利用分野】
本発明は、間仕切り用と壁面用の組立て式で、造り付け家具における組立て手段と組立て構造に関するものである。
【０００２】
【従来の技術】
従来の組立て家具は、ベットにおける引きどっこ式金具に始まり、各種のくさび式緊結金具や、近年では偏心カム式緊結具が主流を占める家具界では、裏板や側板並びに棚板の加工自体が複雑を極め、組立て時には熟練した技術が要求され、しかも部分的な強度にたより大型家具の構成には不向きであり、ましてや造り付け家具を組立て式で構成することは不可能視されていた。
【０００３】
【発明が解決しようとする課題】
そこで本発明は、間仕切り用と壁面用組立て家具を木ネジ等の緊結金具を一切用いることなく構成時における組立てを穿溝による組接ぎと塚を用いる接合のみで、横方向の延長と上段への積み上げを自在に施行できる大型家具を主体に、耐震性を重視して力関係の偏重を極力避け従来技術の問題を解決しようとするものである。
【０００４】
【課題を解決するための手段】
すなわち本願は、組立て家具における緊結構造を、出願人が先に提出した特願平「５−１６３９２０」の緊締具及び複合緊締具と結合具からなる緊結構造を要めに構成する、間仕切り用組立て家具であって、内外枠間に横枠を設けて側面をＨ形状とした一対の前台輪間に複数個の後台輪を配列し、該後台輪における、裏板の厚さの巾で前後に並列する一対の横枠と該横枠に対し直角な縦枠を、両者に設けた穿溝により組接ぎすると共に、該横枠及び縦枠を台板上に塚結合で固定し、後台輪における両側部のものの縦枠を長くして、縦枠及び前台輪を、該縦枠の両端部下面及び前台輪における内枠に設けた穿溝により組接ぎし、裏板の両側部を隣接する後台輪における一対の横枠間に嵌合し、後台輪における両側部のものの縦枠上に側板を塚結合で固定すると共に、該側板間に設けた、棚を区切る側板の下面後部を後台輪における縦枠上面に塚結合で固定すると共に、下面前部に形成した穿溝と、前台輪に設けた穿溝により後台輪と棚を区切る側板を組接ぎし、前台輪における内枠及び後台輪における横枠上に地板を載置し塚結合で固定すると共に、隣接する側板の上部と天板の両端部を塚結合で固定し、同一平面上に連結する天板の上面前部に上方の前台輪を、後部に一対の横枠及び縦枠からなる上方の後台輪を塚結合で固定し、上下の後台輪における両側部のものの横枠における外方突出部位に架設板の上下端部を塚結合で固定し、上記と同様に裏板、側板、地板及び天板を塚結合で固定した組立て式造り付け家具を要旨とする。
【０００５】
壁面用組立て家具であって、内外枠間に横枠を設けて側面をＨ形状とした前台輪の後方に複数個の後台輪を配列し、該後台輪における、裏板の厚さの巾で前後に並列する一対の横枠と該横枠に対し直角な縦枠を、両者に設けた穿溝により組接ぎすると共に、該横枠及び縦枠を台板上に塚結合で固定し、後台輪における両側部のものの縦枠を長くして、縦枠及び前台輪を、該縦枠の前端部下面及び前台輪における内枠に設けた穿溝により組接ぎし、裏板の両側部を隣接する後台輪における一対の横枠間に嵌合し、後台輪における両側部のものの縦枠上に側板を塚結合で固定すると共に、該側板間に設けた、棚を区切る側板の下面後部を後台輪における縦枠上面に塚結合で固定すると共に、下面前部に形成した穿溝と、前台輪に設けた穿溝により後台輪と棚を区切る側板を組接ぎし、前台輪における内枠及び後台輪における横枠上に地板を載置し塚結合で固定すると共に、隣接する側板の上部と天板の両端部を塚結合で固定し、同一平面上に連結する天板の上面前部に上方の前台輪を、後部に一対の横枠、縦枠及び台板からなる上方の後台輪を塚結合で固定し、上下の後台輪における両側部のものの横枠における外方突出部位に架設板の上下端部を塚結合で固定し、上記と同様に裏板、側板、地板及び天板を塚結合で固定した組立て式造り付け家具を要旨とする。
【０００６】
棚を区切る側板を、合体した２枚の側板とすると共に、該当位置の後台輪における縦枠の幅を側板の２枚分とし、合体した２枚の側板の高さが異なり段差が生じる箇所の天板上に、上記後台輪を縦枠中央で分割した形態の後台輪を塚結合で固定した組立て式造り付け家具を要旨とする。
【０００７】
隣接する架設板及び側板の対向面に、Ｕ字形状を上向きとした結合具を固着し、隣接する架設板及び側板間に設けた緊締具及び複合緊締具の両側面に下方開口状のＵ字状溝に上記結合具を嵌合し、側板の後端面に固着した、Ｕ字形状を下向きとした結合具を、上記緊締具及び複合緊締具の前面に設けた上方開口状のＵ字状溝に嵌合した組立て式造り付け家具を要旨とする。
【０００８】
鋭角面を上向きにした一方の楔の背面を棚側に密着すると共に、該一方の楔と斜面を合わせる鋭角面を下向きにした他方の楔を、一方の楔と壁面側間に圧入すると共に、他方の楔の背面を壁面側に密着させた組立て式造り付け家具を要旨とする。
【０００９】
上下一対の板枠を重ね合せ、係留塚で上下を撃いだ笠木接合板を最上段の前部に塚結合で固定し、該笠木接合板における板枠の対向面に弧状の溝を、対向面を縦断する様に形成し、天井と棚間を遮蔽する笠木の背面に固着した、元部を太く先端にかけて細まる特殊塚を上記上下の弧状の溝間に挿入し、笠木接合板上の圧縮変形状態の支いものを天井に密接させた組立て式造り付け家具を要旨とする。
【００１０】
【実施例】
実施例について図面を参照して説明すると、図１は間仕切り用の組立て家具における全容を示す所の斜視図で、緊締具及び複合緊締具と結合具による所の緊結を枢軸に、塚結合と穿溝における組接ぎで、緊結金具の一切を不用とする組立て棚を、壁面と左右部間に拳大の間隙で収容し、天井間を笠木の縦巾に留める高さで構築することを特徴に事実上の造り付け家具を構成する所の実体は、後述する項目毎の説明を参照されたい。
【００１１】
図４に示される実施例は、下方の台輪構造の全容を示す斜視図であり、表裏の棚における前台輪（２、２）間に、表裏の棚を分ける中央に裏板（４）の横巾間隔で複数個の後台輪（１）を配置し、該後台輪（１）は、主に夫々の設定箇所に応じ裏板の厚さの巾で前後に並列する横枠と、側板を接合する塚を備える縦枠とで構成し、かかる後台輪（１）における両側部のものの長い縦枠（８１）の両端部を前台輪（２、２）に組接ぎ固定して、下方の台輪構造を長方形状と成している。
【００１２】
全ての後台輪（１）には、図２で示す後台輪（１）と同様に、横枠及び縦枠の夫々の上下における対向面で交差する穿溝を設けると共に、該穿溝どうしを組接ぎしている。
例えば、主体を占る後台輪（１）は、縦枠（５１）下面中央に、前後を隔てる様に穿溝（８９，８９）を設け、該穿溝（８９，８９）と横枠（１１，１１）の上面中央の穿溝（２９，２９）とで組接ぎし、横枠（１１，１１）の上面両端部に、地板（１６）を支着する塚（６９）を、縦枠（５１）の上面に、棚を区切る側板（５）を支着する塚（５９）を備えている。
又、後台輪（１）における両側端のものは、一対の横枠（４１，４１）及び縦枠（８１）を上記に倣い組接ぎして台板（９１）上に垂直に塚結合し、横枠（４１，４１）の外端部上面に、架設板（６０）を支着する塚（９５，９５）を、内端部上面に、地板（１６）を支着する塚（６９）を備え、縦枠（８１）は、前後に直列する側板の全長を支持する長さで、上面に側板（７５，８５）を支着する塚（５９）を、両端における下面に穿溝（９９）を備えている。
尚、全ての後台輪（１）における縦枠（５１、６１、８１）には、組接ぎ箇所を挟む所の両側に挟穿面（７９）を備え、全ての後台輪（１）における横枠及び縦枠を台板（９１）に塚固定している。
【００１３】
上記前台輪（２，２）の夫々は、前後に並列する外枠（１２）と内枠（２２）を横枠（３２）の両側面で固着、連係することで、側面をＨ形状とし、かかる前台輪（２，２）の上下に溝が形成されている。
前台輪（２，２）の内枠（２２）の上面の両端部に穿溝（４２）を形成し、該穿溝（４２）と後台輪（１）の縦枠（８１）における穿溝（９９）とを組接ぎして長方形を構成している。
内枠（２２）の上面における穿溝（４２）の内側部分に塚（６９）を備え、高さの等しい内枠（２２）及び後台輪（１）における横枠に備える塚（６９）と呼応して塚結合で地板（１６）を設置している。
そして、上記前台輪（２，２）の下面の溝に接合板（５３）を嵌合し、該接合板（５３）における横枠（３２）からはみだした端部を釘等を用い床上に固定する様にしている。  尚、前台輪（２，２）に接目がある場合、下面側の溝に嵌合した接合板（５３）の両端部を接目の左右に、塚（３６）による塚結合で固定して、前台輪（２，２）の接目を連結している。
【００１４】
隣接する後台輪（１）間に裏板（４）を配置し、該裏板（４）における両側部下部を、端面が後台輪（１）における縦枠の挟穿面（７９）に嵌まり込む様に、後台輪（１）における一対の横枠間に嵌合している。
又、後台輪（１）における両側端のものの縦枠（８１）上に側板（７５，８５）を塚結合すると共に、該側板（７５，８５）間に、棚を区切る複数枚の側板（５）を任意間隔毎に配置し、該側板（５）の下面後端部を後台輪（１）における縦枠上に載置し塚（５９）により塚結合し、側板（５）の下面前端部に形成した穿溝（９９）と、前台輪（２，２）における内枠（２２）の上面に形成した穿溝（４２）とを組接ぎしている。
又、裏板（４）の左右における側縁、側板（５，７５，８５）の両縁又は側縁に形成した面取り部（９０）を相互に合せる様にしている。
【００１５】
隣接する側板（５，７５，８５）間の上下部に地板（１６）及び天板（２６）を設け、地板（１６）は内枠（２２）の上面及び後台輪（１）における横枠の上面に載置し塚（６９）により塚結合し、天板（２６）は側板（５，７５，８５）の側面又は上面に塚結合している。
例えば、図９に示す様に、天板（２６）が側板（５，７５，８５）の側方に位置する場合、塚（２５，４５）により水平方向に塚結合し、天板（２６）が側板（５，７５，８５）の上方に位置する場合、塚（３６）により垂直方向に塚結合している。
【００１６】
上記棚体の上部に別の棚体を積み上げる場合、一対の横枠及び縦枠のみからなる後台輪（１）を、下方の棚体の上部の後方に塚結合で固定し、天板（２６）の前端側に前台輪（２，２）を塚結合で固定している。
具体的には、上方の後台輪（１）の前方に塚係合で固定した接合板（１３，３３）を、上方の前台輪（２，２）の下方の溝に嵌合し、上方の後台輪（１）の両端部を、棚体の外側部に設けた目地板支着枠（６７）に塚（３６）による塚結合で固定している。
尚、接合板（１３）の下面中央部を側板（５）の上部に設けた塚（６３）により塚結合すると共に、下面両端部に備えた塚（６３）により天板（２６）に塚結合し、又棚体の両側部の接合板（３３）の下面外端部と、側板（７５，８５）の上部とを塚（３６）により塚結合すると共に、下面内端部に備えた塚（６３）により天板（２６）に塚結合している。
後台輪（１）における両側部のものの上下間に架設板（６０）を設け、該架設板（６０）の両端部と、上下の後台輪（１）における横枠（４１，４１）とを塚（９５，９５）により塚結合している。
【００１７】
図面で示す様な、複数個の棚体を並設する形態の間仕切り用組立て家具にあっては、隣接する棚体の境界部における後台輪（１）を、図２の連結用の後台輪（１）とし、該連結用の後台輪（１）における縦枠（６１）は、合体する２枚の側板（８５，７５）を併設できる横巾を有し、縦枠（６１）下面中央に、前後を隔てる様に穿溝（８９，８９）を設け、該穿溝（８９，８９）と横枠（２１，２１）の上面中央の穿溝（３９，３９）とで組接ぎし、又横枠（２１，２１）の上面両端部に、地板（１６）を支着する塚（６９）を、縦枠（６１）の上面に側板（５）を支着する塚（５９）を備えている。
尚、合体する２枚の側板（８５，７５）にあっては、仕切り用の側板（５）と同構成にして、かかる側板（８５，７５）の穿溝（１５、１５）と、前台輪（２，２）における内枠（２２）の上面に形成した溝（５２，５２）とを組接ぎしている。
【００１８】
つまり、上方の後台輪（１）及び前台輪（２，２）は、下方の後台輪（１）及び前台輪（２，２）と略同構成のため、下方の台輪構造を上層へと略そのまま自在に適用可能な台輪を有する間仕切り用の組立て家具が構成されている。
【００１９】
尚、隣接する棚体の境界部に段差があれば、即ち隣接する棚体の高さが異なれば、図２の連結用の後台輪（１）を縦枠（６１）の中央で切断した形態の境界部用の後台輪（１）を、図６、９に示す様に用いる様にし、該後台輪（１）における横枠（３１，３１）及び縦枠（７１）を側板（８５，７５）及び天板（２６）に塚結合している。
又、各棚体の両側部の接合板（２３）の下面一端部と、側板（７５，８５）の上部とを塚（３６）により塚結合すると共に、下面他端部に備えた塚（６３）により天板（２６）に塚結合している。
【００２０】
図５に示される実施例は、壁面用の組立て家具における台輪構造を、基盤と棚の積み上げ時における中継点に配置する台輪の全容を示す斜視図であり、かかる壁面用組立て家具と上記間仕切り用組立て家具は、前者に裏面側に棚が無い点において構成が異なるだけで、構成部材は殆ど同じである。
具体的には、上記間仕切り用の組立て家具と同構成の前台輪（２）とと、上記壁面用の組立て家具と同じ側板（５，７５，８５）、地板（１６）、天板（２６）及び接合板（１３，２３，３３，５３）等により構成されているが、後台輪（１０１）の構成が上記後台輪（１）と若干異なる。
【００２１】
例えば、主体を占る後台輪（１０１）は、上記横枠（１１，１１）及び縦枠（５１）からなる後台輪（１）と同構成で、裏板の厚さの巾で前後に並列する横枠（１１１，１１１）と上下における穿溝で組接ぎする縦枠（１５１）、横枠（１１１，１１１）及び縦枠（１５１）を厳正な垂直で塚結合する台板（１９１）により構成している。
又、後台輪（１）における両側端のものは、上記横枠（４１，４１）及び縦枠（８１）からなる後台輪（１）と同様に、一対の横枠（１４１，１４１）と、上記に倣い組接ぎする縦枠（１８１）、及び台板（１９１）により構成するが、縦枠（１８１）は、１枚の側板（７５，８５）の全長を支持する長さとし、前端における穿溝（９９）と、前台輪（２）の内枠（２２）における穿溝（４２）と組接ぎして長方形を構成している。
又、連結用の後台輪（１０１）は、上記横枠（２１，２１）及び縦枠（６１）からなる後台輪（１）と同構成で、一対の横枠（１２１，１２１）と、上記に倣い組接ぎする縦枠（１６１）、及び台板（１９１）により構成している。
又、境界部用の後台輪（１０１）は、上記横枠（３１，３１）及び縦枠（６１）からなる後台輪（１）と同構成で、一対の横枠（１３１，１３１）と、上記に倣い組接ぎする縦枠（１７１）、及び台板（１９１）により構成している。
【００２２】
図５、７で示す様に、組立て家具における架設板（６０）及び裏板（４）間及び隣接する裏板（４、４）間の連結構造は、それらの対向面の夫々に、Ｕ字形状（５０）を上向きにした結合具（４０）を固着し、該結合具（４０）を、隣接する架設板（６０）及び裏板（４）間に配置した緊締具（１０）の両側面下部に設けた下方開口状のＵ字状溝（３０）に嵌合して、隣接する架設板（６０）及び裏板（４）間を連結している。
又、側板（５）の後端面に、Ｕ字形状（５０）を下向きにした結合具（４０）を固着し、該結合具（４０）を、隣接する架設板（６０）及び裏板（４）間の緊締具（１０）の前後面に設けた上方開口状のＵ字状溝（３０）に嵌合している。
又、棚体の境界部にあっては、上下面の両側部に上方開口状のＵ字状溝（３０）を形成した複合緊締具（２０）を設けて、合体した側板（８５，７５）の結合具（４０）をＵ字状溝（３０）に嵌合している。
【００２３】
又、壁面用の組立て家具の場合、隣接する裏板（４）に跨ぐ様に架設板（７０）を設け、該架設板（７０）の前面に設ける、上記Ｕ字形状（５０）を下向きにした結合具（４０）と同じ結合具を設けるべく、上記緊締具（２０）又は複合緊締具（３０）におけるＵ字状溝（３０）内を通しドライバーで緊締する木ネジを、架設板（７０）を貫き背後のＵ字状溝（３０）に嵌合する結合具ぐるみ壁面に固着している。
【００２４】
図１１で示される実施例は、左右の壁面間における前後に楔を用い、組立て家具の横方向を固定する所の斜視図で、鋭角部を上下に向け夫々の斜面を合せてなる直角三角形状の楔（１７，２７）を棚と壁間に設け、一方の楔（１７）の背面を棚側に、他方の楔（２７）の背面を壁側に夫々当接させている。
【００２５】
先ず、後台輪（１）と楔（１７，２７）の関係について説明する。
下方の後台輪（１）における両側部のものの横枠（４１，４１）の端面に、鋭角面を上向きで床上に設置した一方の楔（１７）の背面を密接し、一方の楔（１７）と壁の間に、鋭角面を下向きとして斜面どうしを合せる様に他方の楔（２７）を圧入して、上記横枠（４１，４１）を介し裏板（４）を固定している。
上方の後台輪（１）における横枠（４１，４１）を台座に一方の楔（１７）を載置すると共に、該楔（１７）の背面を架設板（６０）に密接し、鋭角面を下向きとする他方の楔（２７）を一方の楔（１７）と壁の間に圧入して、上記に倣い裏板（４）を固定している。
【００２６】
次に、前台輪（２）と楔（１７，２７）の関係について説明する。
前台輪における両端側に配置された接合板（５３，３３）上に、鋭角面を上向きにした一方の楔（１７）を載置すると共に、該一方の楔（１７）の背面を横枠（３２）の端面に密接し、一方の楔（１７）と壁の間に、鋭角面を下向きとして斜面どうしを合せる様に他方の楔（２７）を圧入し、かかる圧入時において、棚を前台輪（２）を介し直角度を修正しながら固定する。
又、図１２に示す様に、左右の壁面に当接する前台輪（２）の内外枠（１２，２２）間に、該内外枠（１２，２２）を前後の側面で密着する板片（３７）を嵌合し、該板片（３７）を釘等を用い壁面に固着して他方の楔（２７）の背面を密接させる様にしている。
【００２７】
そして、上記の楔（１７，２７）により、壁面間の棚を横方向で固定している。
【００２８】
下方の前台輪（２）の内外枠（１２，２２）間にして、接合板（５３，３３）上に設置した楔（１７）と、該楔（１７）と対向する側板（７５，８５）で囲繞する横枠（３２）上の空間内に、側板（７５，８５）と壁面間の隙間を塞ぐ目地板（５７）の裏面下方に設けた目地板支着枠（６７）の下端部を嵌合している。
又、上記目地板（５７）の上端部は、側板（７５，８５）の上部外側面に固設した目地板支着枠（６７）の前面に固着している。
【００２９】
棚の最上部には、図１３で示す様に、後台輪（１）及び笠木接合板（８、３８）を所定箇所に設け、後台輪（１）は、主体を占る後台輪（１）及び連結用の後台輪（１）を適宜設置する様にしている。
最上段部前方に設けた笠木接合板（８、３８）は、相似する板枠（１８，２８）を上下に重ね係留塚（６８）で撃がれており、一方の笠木接合板（８）は、対向面で中央を縦断する弧状の溝（５８）を形成した一対の板枠（１８，２８）で構成されたもので、他方の笠木接合板（３８）は、笠木（８８）の連結時に用いるもので、対向面の左右に並べて上記弧状の溝（５８）を形成した一対の板枠（１８，２８）で構成されたものである。
そして、図１３の配置図で示す様に、最上段に設置する接合板（１３）との組合せで、側板（５，７５，８５）と、該側板（５，７５，８５）の一側方又は両側方に位置する同一平面上の天板（２６）を連係して、側板（５，７５，８５）及び天板（２６）に塚結合で固定している。
【００３０】
天井と棚間を遮蔽する笠木（８８）の背面に、元部を太く先端にかけて細まる特殊塚（９８）を固着し、該特殊塚（９８）を、対応する笠木接合板（８、３８）における弧状の溝（５８、５８）を合せた楕円形状の溝内に挿入し、笠木接合板（８、３８）における上方の板枠（１８）上に雑誌等の支いものを備え、特殊塚（９８）挿入度が深まるに連れ楕円形状の溝を徐々に拡大し、即ち板枠（１８，２８）の間が序々に開いき、特殊塚（９８）の元部の太さに相応する円に達する時、支いもの、雑誌が適度に圧縮されて、これを抵抗にして笠木（８８）を棚と天井間に装着すると共に棚の縦方向を固定する。
【００３１】
【発明の効果】
本発明は、以上説明したように構成されているので、以下に記載されるように効果を奏する。
【００３２】
後台輪（１）の一対の横枠及び縦枠を固定する台板（９１）により安定性を追求するに相俟って、前台輪（２）の下面の溝に嵌合する接合板（５３）は、前台輪（２）の水平度を調節しながら両端で床上に固定することが出来る。
又、接合板（５３）を支点に、床上の一線上を左右に滑る前台輪（２）で棚体の直角度を修正可能な台輪構造は、棚体の構成時において結集し強度を発揮するものである。
【００３３】
前後の台輪（１，１０１，２）は、何れも組立て式であるが、壁面用の両側端における後台輪（１０１）に限り台板（１９１）上の横枠及び縦枠は厳正な直角で固定されるため、確実な長方形を構成可能にすることが出来る。
【００３４】
前台輪（２）の内枠（２２）上と、後台輪（１，１０１）における横枠上に設置する地板（１６）は、裏板（４）の表裏における両面に近接し、棚を区切る側板（５）を挟む左右の側面ではこれを挟撃姿勢で擁立し、縦方向の塚結合で方形を確立する地板（１６）と相俟って、天板（２６）上の中継拠点では後台輪（１，１０１）の横枠で側板（５，７５，８５）を軸に同一平面上の天板（２６）と、縦枠は直列する側板（５，７５，８５）の双方における後端を、さらに天板（２６）上の前端には接合板（１３，２３，３３）を配し、底面を塚結合で固定することによって、近接する間仕切り用の組立て棚における直角度を確保可能にすることが出来る。
【００３５】
壁面用の組立て家具で、裏板（４）間の背面上に密接し、緊締具（１０）又は複合緊締具（２０）の裏面で上端のＵ字状溝（３０）に緊結する横型の架設板（７０）は、前面に設置する側板（５）と相俟って、裏板（４）を一線上に固定することが出来、而も背後の壁面上に釘等で固着すれば、棚体の転倒を未然に防止することが出来、よって耐震性の向上を図ることが出来る。
【００３６】
組立て家具を、壁面間の左右に用いる楔（１７，２７）により、横方向の位置を修正しながら直角度を確保しこれを固定する。
【００３７】
笠木（８８）における装着は、最終行程において外方向から容易に実施される所の、縦方向における究極の固定手段である。
【００３８】
上記で説明する、二重三重の固定手段を用い、緊結金具の一切を不用とする、塚結合と穿溝による組接ぎのみで、耐震性を重視した事実上の造り付け家具を構成可能にすることが出来る。
【図面の簡単な説明】
【図１】  本発明の、間仕切り用組立て家具における、組立て構造の全容を示す斜視図である。
【図２】  連結点で用いる、連結用後台輪の構成斜視図である。
【図３】  上段の組立て棚における、中継拠点を構成する間仕切り用家具の、台輪構造を示す斜視
図である。
【図４】  床上に配置する、間仕切り用家具の台輪構造で、基盤を構成する台輪の全容を示す斜視
図である。
【図５】  壁面用組立て家具における、台輪及び組立て構造を示す斜視図である。
【図６】  間仕切り用組立て家具における中継点で、天板の支着手段と、台輪の配置構造を示す斜
視図である。
【図７】  間仕切り用組立て家具で、側端から始まる組立て構造の連結箇所を主体に、下方におけ
る構成を示す斜視図である。
【図８】  図７の、連結箇所における、接合時の納まりを示す斜視図である。
【図９】  前台輪における外枠を剥奪し、接合時の納まりを示す、天板上の中継点における正面図
である。
【図１０】  天板上の台輪を中継点とし、上段に構成する棚の組立て構造を示す斜視図である。
【図１１】  棚体と壁面間を固定する、楔における装着構造を示す斜視図である。
【図１２】  壁面上に固着する、板片を壁として、楔を装着する構成斜視図である。
【図１３】  笠木接合板に装着する、笠木の接合時における部分斜視図である。
【図１４】  最上段の天板上における、笠木の装着と、笠木接合板の配置を示す斜視図である。
【符号の説明】
１                              後合輪
１１，２１，３１，４１          後台輪の横枠
２９，３９                      後台輪の横枠上の穿溝
６９                            後台輪の横枠と前台輪の内枠における地板結合塚
５１，６１，７１，８１          後台輪の縦枠
１９，８９，９９                後台輪の縦枠上の穿溝
５９                            後台輪の縦枠上の塚
９１                            台板
２                              前台輪
１２，２２，３２                前台輪の構成枠
４２，５２                      前台輪の内枠上の穿溝
１３，２３，３３，５３          接合板
４                              裏板
５，７５，８５                  側板
１５                            側板の前端に備える穿溝
４５                            横方向に接合する長尺の塚
１６                            地板
２６                            天板
３６                            縦方向に接合する長尺の塚
１７，２７                      楔
３７                            板片
５７                            目地板
６７                            目地板支着枠
８，３８                        笠木接合板
８８                            笠木
５８                            弧状の溝
９８                            特殊塚
１０，２０                      緊締具と複合緊締具
４０                            結合具
６０，７０                      架設板
３０                            Ｕ字状溝
９０                            面取り部
１１１，１２１，１３１，１４１  壁面用後台輪の横枠
１５１，１６１，１７１，１８１  壁面用後台輪の縦枠
１９１                          壁面用の後台輪の台板
【図１】
0003650427.tif 000002
【図２】
0003650427.tif 000003
【図３】
0003650427.tif 000004
【図４】
0003650427.tif 000005
【図５】
0003650427.tif 000006
【図６】
0003650427.tif 000007
【図７】
0003650427.tif 000008
【図８】
0003650427.tif 000009
【図９】
0003650427.tif 000010
【図１０】
0003650427.tif 000011
【図１１】
0003650427.tif 000012
【図１２】
0003650427.tif 000013
【図１３】
0003650427.tif 000014
【図１４】
0003650427.tif 000015